【手続補正書】
【提出日】平成17年8月26日(2005.8.26)
【手続補正１】
【補正対象書類名】特許請求の範囲
【補正対象項目名】請求項１５
【補正方法】変更
【補正の内容】
【請求項１５】
ｎ＝２、３、４の記録マーク長に対してはｍ＝１、
ｎ＝５、６、７、８の記録マーク長に対してはｍ＝２、
ｎ＝９、１０、１１の記録マーク長においてはｍ＝３、
ｎ＝１２、１３、１４の記録マーク長においてはｍ＝４、
ｎ＝１５、１６、１７の記録マーク長においてはｍ＝５、
であることを特徴とする請求項６又は１４に記載の光記録方法。
【手続補正２】
【補正対象書類名】特許請求の範囲
【補正対象項目名】請求項１９
【補正方法】変更
【補正の内容】
【請求項１９】
ｎ＝２、３、４の記録マーク長においてはｍ＝１、
ｎ＝５、６、７、８の記録マーク長においてはｍ＝２、
ｎ＝９、１０、１１、１２の記録マーク長においてはｍ＝３、
ｎ＝１３、１４、１５、１６の記録マーク長においてはｍ＝４
であることを特徴とする請求項６又は１４に記載の光記録方法。
【手続補正３】
【補正対象書類名】明細書
【補正対象項目名】０２１８
【補正方法】変更
【補正の内容】
【０２１８】
ただし、ｎ＝５は、他のｎ＝４Ｌ−３の場合とは異なるｄＴｔｏｐ、Ｔｔｏｐ、Ｔｌａｓｔ、ｄＴｌａｓｔ、Ｔｃｌをそれぞれ決める自由度があることが望ましい。このため、それぞれ、独立パラメータであることを明らかにするため、図８においては、ｄＴｔｏｐ５、Ｔｔｏｐ５、Ｔｌａｓｔ５、ｄＴｌａｓｔ５、Ｔｃｌ５と表記する。５Ｔマーク長ではｎ／ｍ＝２．５であるため、他のｎ＝４Ｌ−３であるマーク長と異なり、記録パルスの繰返し周期が２．５Ｔ程度と小さくなる。このため、５Ｔマーク長は、他のｎ＝４Ｌ−３であるマーク長と同じパラメータでは、正確なマーク長と、低ジッタの実現が難しい場合がある。
【手続補正４】
【補正対象書類名】明細書
【補正対象項目名】０２３４
【補正方法】変更
【補正の内容】
【０２３４】
一方、ｎ＝４Ｌ−１（図２７（ｄ））の場合には、Ｔｔｏｐ＝α１Ｔが、Ｔ１からｄＴｔｏｐの時間的ずれをもって発生されるが、Ｔｔｏｐ、ｄＴｔｏｐは、他の４Ｌ−３や４Ｌ−２の場合とは異なる値、Ｔｔｏｐ＋（１０２０）、ｄＴｔｏｐ＋（１０２１）をとりうるものとする。
【手続補正５】
【補正対象書類名】明細書
【補正対象項目名】０２３８
【補正方法】変更
【補正の内容】
【０２３８】
ただし、ｎ＝５は、他のｎ＝４Ｌ−３の場合とは相異なるｄＴｔｏｐ、Ｔｔｏｐ、Ｔｌａｓｔ、ｄＴｌａｓｔ、Ｔｃｌをそれぞれ決める自由度があることが望ましい。このため、それぞれ、独立パラメータであることを明らかにするため、図２６においては、ｄＴｔｏｐ５、Ｔｔｏｐ５、Ｔｌａｓｔ５、ｄＴｌａｓｔ５、Ｔｃｌ５と表記する。５Ｔマーク長では、ｎ／ｍ＝２．５であるため、他のｎ＝４Ｌ−３であるマーク長と異なり、記録パルスの繰返し周期が２．５Ｔ程度と小さくなる。このため、５Ｔマーク長は、他のｎ＝４Ｌ−３であるマーク長と同じパラメータでは、正確なマーク長と、低ジッタの実現が難しい場合がある。
【手続補正６】
【補正対象書類名】明細書
【補正対象項目名】０２６０
【補正方法】変更
【補正の内容】
【０２６０】
そして、記録パルス分割方法（Ｉ）を基本として、記録パルス分割方法（Ｖ）を適用する。
（記録パルス分割方法（Ｖ））
書き換え型光記録媒体が円盤状のディスクであり、同一ディスク面内において、複数の記録線速度で、記録マークの空間線密度を概ね一定としながら、記録を行う光記録方法であって、最大線速度Ｖｍａｘにおけるαｉ＝αｉｍａｘ（ｉ＝１〜ｍ）を０．５〜２とし、低線速度ほど、ｍは一定のまま、αｉ（ｉ＝１〜ｍ）をそれぞれ単調に減少させるように上記記録パルス分割方法（Ｉ）を用いる方法である。記録マークの空間線密度を概ね一定とするということは、基準クロック周期を線速度に反比例して変化させることで達成される。この際、（αｉ＋βｉ）を概ね３又は４に保つことが望ましく、さらに、αｉ＋βｉ（２≦ｉ≦ｍ−１）を線速によらずほぼ一定とすることが好ましい。
【手続補正７】
【補正対象書類名】明細書
【補正対象項目名】０３７９
【補正方法】変更
【補正の内容】
【０３７９】
図２８及び図２９の記録パルスストラテジーは、図８で示した記録パルス分割方式（ＩＶａ）及び、それを低線速で適用した記録パルス分割方式（ＶＩＩＩａ）に相当する。図８で定義された、独立パラメータを用いて表すと、図２８及び図２９の分割記録パルスは表６のような値で規定される。独立パラメータ数が全部で２４個となっている。このうち、ゼロとなっているパラメータ数を差し引けば、独立パラメータ数は、１８個である。なお、表６では、５Ｔマークについては、Ｔ１から３Ｔ経過時点を基準としてｄＴｌａｓｔ５を規定している。
【手続補正８】
【補正対象書類名】明細書
【補正対象項目名】０４０５
【補正方法】変更
【補正の内容】
【０４０５】
【図１】従来のＣＤ−ＲＷ規格オレンジブックパート３に示された記録パルスストラテジーを説明するための図であり、図１（ａ）はＣＤフォーマットで使用されるマーク長変調方式の例で、３Ｔ〜１１Ｔの時間的長さを有するデータ信号であり、図１（ｂ）及び図１（ｃ）は、当該データ信号に基づいて発生される実際の記録光のレーザーパワーである。
【図２】本実施の形態が適用される光記録方法におけるパルス分割方法を実施する場合の、各記録パルスの関係を説明するためのタイミングチャートの図であり、図２（ａ）は、形成するｎＴの記録長の記録マークを示し、図２（ｂ）は、この記録マークを形成するための記録パルス分割方法のタイミングチャートを示す。
【図３】本実施の形態が適用される光記録方法の記録パルス分割方法を発生する論理回路のタイミングチャートの具体例を説明するための図であり、図３（ａ）は、時間幅ｎＴのｎＴマーク長信号（３０１）を示し、図３（ｂ）〜図３（ｅ）は、それぞれ記録パルス制御用ゲート信号を示す。
【図４】記録パルス分割法（ＩＩａ）を、ｎ＝２〜１６からなるマーク長に適用したタイミングチャートの具体例を説明するための図であり、図４（ａ）は、ｎ＝３Ｌ−１の場合であり、図４（ｂ）は、ｎ＝３Ｌの場合であり、図４（ｃ）は、ｎ＝３Ｌ＋１の場合である。
【図５】図４においてＬ＝４の場合の、ｎ＝３Ｌ−１、ｎ＝３Ｌ、ｎ＝３Ｌ＋１の３つのマーク長を一組とする周期パラメータ変化を説明する図であり、図５（ａ）は、３Ｌ−１、３Ｌ、３Ｌ＋１の３つのマーク長であり、図５（ｂ）は、ｎ＝３Ｌ−１の場合であり、図５（ｃ）は、ｎ＝３Ｌの場合であり、図５（ｄ）は、ｎ＝３Ｌ＋１の場合である。
【図６】記録パルス分割方法（ＩＩＩａ）を、ｎ＝２〜１７からなるマーク長に適用した具体例を説明するための図であり、図６（ａ）は、ｎ＝３Ｌの場合であり、図６（ｂ）は、ｎ＝３Ｌ＋１の場合であり、図６（ｃ）は、ｎ＝３Ｌ＋２の場合である。
【図７】図６においてＬ＝４の場合の、ｎ＝３Ｌ、ｎ＝３Ｌ＋１、ｎ＝３Ｌ＋２の３つのマーク長を一組とする周期パラメータ変化を説明する図であり、図７（ａ）は、３Ｌ、３Ｌ＋１、３Ｌ＋２の３つのマーク長であり、図７（ｂ）は、ｎ＝３Ｌの場合であり、図７（ｃ）は、ｎ＝３Ｌ＋１の場合であり、図７（ｄ）は、ｎ＝３Ｌ＋２の場合である。
【図８】記録パルス分割法（ＩＶａ）を、ｎ＝２〜１６からなるマーク長に適用したタイミングチャートの具体例を説明するための図であり、図８（ａ）は、ｎ＝４Ｌ−３の場合であり、図８（ｂ）は、ｎ＝４Ｌ−２の場合であり、図８（ｃ）は、ｎ＝４Ｌ−１の場合であり、図８（ｄ）は、ｎ＝４Ｌの場合である。
【図９】図８においてＬ＝３の場合の、ｎ＝４Ｌ−３、ｎ＝４Ｌ−２、ｎ＝４Ｌ−１、ｎ＝４Ｌの４つのマーク長を一組とする周期パラメータ変化を説明する図であり、図９（ａ）は、４Ｌ−３、４Ｌ−２、４Ｌ−１、４Ｌの４つのマーク長であり、図９（ｂ）は、ｎ＝４Ｌ−３の場合であり、図９（ｃ）は、ｎ＝４Ｌ−２の場合であり、図９（ｄ）は、ｎ＝４Ｌ−１の場合であり、図９（ｅ）は、ｎ＝４Ｌの場合である。
【図１０】実施例１として示した「３Ｔストラテジー」に用いた、各マーク長に対する分割記録パルスを説明するための図である。
【図１１】比較例１として示した「２Ｔストラテジー」に用いた、各マーク長に対する分割記録パルスを説明するための図である。
【図１２】図１２（ａ）及び（ｂ）は、実施例１及び比較例１において、オーバーライト９回後のジッタ及び変調度の記録パワー依存性を示すグラフであり、図１２（ｃ）は、ジッタのオーバーライト回数依存性を示すグラフである。
【図１３】実施例２として「３Ｔストラテジー」に用いた、各マーク長に対する分割記録パルスを説明するための図である。
【図１４】比較例２として示した「２Ｔストラテジー」に用いた、各マーク長に対する分割記録パルスを説明するための図である。
【図１５】図１５（ａ）及び（ｂ）は、実施例２及び比較例２において、オーバーライト９回後のジッタ及び変調度の記録パワー依存性を示すグラフであり、図１５（ｃ）は、ジッタのオーバーライト回数依存性を示すグラフである。
【図１６】実施例３として示した「３Ｔストラテジー」に用いた、各マーク長に対する分割記録パルスである。
【図１７】比較例３として示した「２Ｔストラテジー」に用いた、各マーク長に対する分割記録パルスを説明するための図である。
【図１８】図１８（ａ）及び（ｂ）は、実施例３及び比較例３において、オーバーライト９回後のジッタ及び変調度の記録パワー依存性を示すグラフであり、図１８（ｃ）は、ジッタのオーバーライト回数依存性を示すグラフである。
【図１９】実施例４として示した「３Ｔストラテジー」に用いた、各マーク長に対する分割記録パルスを説明するための図である。
【図２０】比較例４として示した「２Ｔストラテジー」に用いた、各マーク長に対する分割記録パルスを説明するための図である。
【図２１】図２１（ａ）及び（ｂ）は、実施例４及び比較例４において、オーバーライト９回後のジッタ及び変調度の記録パワー依存性を示すグラフであり、図２１（ｃ）は、ジッタのオーバーライト回数依存性を示すグラフである。
【図２２】記録パルス分割法（ＩＩｂ）を、ｎ＝２〜１６からなるマーク長に適用したタイミングチャートの具体例を説明するための図であり、図２２（ａ）は、ｎ＝３Ｌ−１の場合であり、図２２（ｂ）は、ｎ＝３Ｌの場合であり、図２２（ｃ）は、ｎ＝３Ｌ＋１の場合である。
【図２３】図２２においてＬ＝４の場合の、ｎ＝３Ｌ−１、ｎ＝３Ｌ、ｎ＝３Ｌ＋１の３つのマーク長を一組とする周期パラメータ変化を説明する図であり、図２３（ａ）は、３Ｌ−１、３Ｌ、３Ｌ＋１の３つのマーク長であり、図２３（ｂ）は、ｎ＝３Ｌ−１の場合であり、図２３（ｃ）は、ｎ＝３Ｌの場合であり、図２３（ｄ）は、ｎ＝３Ｌ＋１の場合である。
【図２４】記録パルス分割方法（ＩＩＩｂ）を、ｎ＝２〜１７からなるマーク長に適用した具体例を説明するための図であり、図２４（ａ）は、ｎ＝３Ｌの場合であり、図２４（ｂ）は、ｎ＝３Ｌ＋１の場合であり、図２４（ｃ）は、ｎ＝３Ｌ＋２の場合である。
【図２５】図２４においてＬ＝４の場合の、ｎ＝３Ｌ、ｎ＝３Ｌ＋１、ｎ＝３Ｌ＋２の３つのマーク長を一組とする周期パラメータ変化を説明する図であり、図２５（ａ）は、３Ｌ、３Ｌ＋１、３Ｌ＋２の３つのマーク長であり、図２５（ｂ）は、ｎ＝３Ｌの場合であり、図２５（ｃ）は、ｎ＝３Ｌ＋１の場合であり、図２５（ｄ）は、ｎ＝３Ｌ＋２の場合である。
【図２６】記録パルス分割法（ＩＶｂ）を、ｎ＝２〜１６からなるマーク長に適用したタイミングチャートの具体例を説明するための図であり、図２６（ａ）は、ｎ＝４Ｌ−３の場合であり、図２６（ｂ）は、ｎ＝４Ｌ−２の場合であり、図２６（ｃ）は、ｎ＝４Ｌ−１の場合であり、図２６（ｄ）は、ｎ＝４Ｌの場合である。
【図２７】図２６においてＬ＝３の場合の、ｎ＝４Ｌ−３、ｎ＝４Ｌ−２、ｎ＝４Ｌ−１、ｎ＝４Ｌの４つのマーク長を一組とする周期パラメータ変化を説明する図であり、図２７（ａ）は、４Ｌ−３、４Ｌ−２、４Ｌ−１、４Ｌの４つのマーク長であり、図２７（ｂ）は、ｎ＝４Ｌ−３の場合であり、図２７（ｃ）は、ｎ＝４Ｌ−２の場合であり、図２７（ｄ）は、ｎ＝４Ｌ−１の場合であり、図２７（ｅ）は、ｎ＝４Ｌの場合である。
【図２８】実施例５として示した「３Ｔストラテジー」に用いた、各マーク長に対する分割記録パルスを説明するための図である。
【図２９】実施例６として示した「３Ｔストラテジー」に用いた、各マーク長に対する分割記録パルスを説明するための図である。
【図３０】図３０（ａ）及び（ｂ）は、実施例５及び実施例６において、オーバーライト９回後のジッタ及び変調度の記録パワー依存性を示すグラフであり、図３０（ｃ）は、ジッタのオーバーライト回数依存性を示すグラフである。
【図３１】実施例７として示した「３Ｔストラテジー」に用いた、各マーク長に対する分割記録パルスを説明するための図である。
【図３２】図３２（ａ）及び（ｂ）は、実施例７において、オーバーライト９回後のジッタ及び変調度の記録パワー依存性を示すグラフであり、図３２（ｃ）は、ジッタのオーバーライト回数依存性を示すグラフである。
【図３３】本実施の形態が適用される光記録方法を実施するための光記録装置の一例の構成図である。
【図３４】本実施の形態が適用される光記録方法を実施するための光記録装置におけるＬＤドライバの一例の構成図である。